(57)【特許請求の範囲】
【請求項１】
多重搬送波を支援する通信システムの基地局が前記多重搬送波を管理する方法において、
スリープ期間に入ろうとする第１端末に主搬送波を変更することを要請するステップと、
前記スリープ期間中に変更した前記主搬送波を介して制御メッセージを前記第１端末に伝送するステップとを含むことを特徴とする多重搬送波管理方法。
【請求項２】
前記制御メッセージは、トラフィック通知メッセージ（Ｔｒａｆｆｉｃ  Ｉｎｄｉｃａｔｉｏｎ  Ｍｅｓｓａｇｅ）を含むことを特徴とする請求項１に記載の多重搬送波管理方法。
【請求項３】
前記要請するステップは、
前記第１端末が使用可能な搬送波と、前記スリープ期間に入った複数の第２端末が使用可能な搬送波の中から、前記第１端末と前記複数の第２端末のうち最も多い端末が共通に使用することができる搬送波を選択するステップと、
選択した前記搬送波を前記第１端末が使用可能な場合に、前記選択した搬送波を主搬送波として変更することを前記第１端末に要請するステップとを含むことを特徴とする請求項１に記載の多重搬送波管理方法。
【請求項４】
前記第１端末に要請するステップは、
前記選択した搬送波の情報を含むスリープモード応答メッセージを前記第１端末に伝送するステップを含むことを特徴とする請求項３に記載の多重搬送波管理方法。
【請求項５】
リスニング期間で前記スリープ期間に入った複数の第２端末のうち少なくとも１つの第２端末に前記主搬送波を変更することを要請するステップをさらに含むことを特徴とする請求項１に記載の多重搬送波管理方法。
【請求項６】
前記第１端末が使用可能な搬送波と、前記複数の第２端末が使用可能な搬送波の中から、前記第１端末と前記複数の第２端末のうち最も多い端末が共通に使用することができる搬送波を選択するステップと、
選択した前記搬送波を前記少なくとも１つの第２端末が使用可能な場合に、前記選択した搬送波を主搬送波として変更することを前記少なくとも１つの第２端末に要請するステップとをさらに含むことを特徴とする請求項５に記載の多重搬送波管理方法。
【請求項７】
前記少なくとも１つの第２端末に要請するステップは、
前記選択した搬送波の情報を含む媒体アクセス制御（Ｍｅｄｉｕｍ  Ａｃｃｅｓｓ  Ｃｏｎｔｒｏｌ、ＭＡＣ）管理メッセージを前記少なくとも１つの第２端末に伝送するステップを含むことを特徴とする請求項６に記載の多重搬送波管理方法。
【請求項８】
多重搬送波を支援する通信システムの端末のスリープモード動作方法において、
スリープ期間に入る際に基地局から主搬送波の変更要請を受けるステップと、
主搬送波を変更し、前記スリープモードに入るステップと、
変更した主搬送波を介して前記基地局から制御メッセージを受信するステップとを含むことを特徴とするスリープモード動作方法。
【請求項９】
前記制御メッセージは、トラフィック通知メッセージ（Ｔｒａｆｆｉｃ  Ｉｎｄｉｃａｔｉｏｎ  Ｍｅｓｓａｇｅ）を含むことを特徴とする請求項８に記載のスリープモード動作方法。
【請求項１０】
前記要請を受けるステップは、
前記基地局から変更する主搬送波の情報を含むスリープモード応答メッセージを受信するステップを含むことを特徴とする請求項８に記載のスリープモード動作方法。
【請求項１１】
前記スリープ期間後のリスニング期間で前記基地局から前記主搬送波の変更要請を受けるステップをさらに含むことを特徴とする請求項８に記載のスリープモード動作方法。
【請求項１２】
前記リスニング期間で前記主搬送波の変更要請を受けるステップは、
前記基地局から変更する主搬送波の情報を含む媒体アクセス制御（Ｍｅｄｉｕｍ  Ａｃｃｅｓｓ  Ｃｏｎｔｒｏｌ、ＭＡＣ）管理メッセージを受信するステップを含むことを特徴とする請求項１１に記載のスリープモード動作方法。
【請求項１３】
前記制御メッセージは、スリープ期間後のリスニング期間で受信されることを特徴とする請求項８に記載のスリープモード動作方法。
【請求項１４】
多重搬送波を支援する通信システムの基地局で前記多重搬送波を管理する装置において、
スリープ期間に入ろうとする第１端末に主搬送波を変更することを要請する通信部を含み、
前記スリープ期間中に変更した前記主搬送波を介して制御メッセージが伝送されることを特徴とする多重搬送波管理装置。
【請求項１５】
前記制御メッセージは、トラフィック通知メッセージ（Ｔｒａｆｆｉｃ  Ｉｎｄｉｃａｔｉｏｎ  Ｍｅｓｓａｇｅ）を含むことを特徴とする請求項１４に記載の多重搬送波管理装置。
【請求項１６】
前記第１端末が使用可能な搬送波と、スリープ期間に入った複数の第２端末が使用可能な搬送波の中から、前記第１端末と前記複数の第２端末のうち最も多い端末が共通に使用することができる搬送波を選択する搬送波選択部をさらに含み、
選択した前記搬送波を前記第１端末が使用可能な場合に、前記通信部は、前記選択した搬送波に前記主搬送波を変更することを前記第１端末に要請することを特徴とする請求項１４に記載の多重搬送波管理装置。
【請求項１７】
前記通信部は、前記選択した搬送波の情報をスリープモード応答メッセージに含めて、前記第１端末に伝送することを特徴とする請求項１６に記載の多重搬送波管理装置。
【請求項１８】
前記通信部は、リスニング期間で前記スリープ期間に入った複数の第２端末のうち少なくとも１つの第２端末に前記主搬送波を変更することを要請することを特徴とする請求項１４に記載の多重搬送波管理装置。
【請求項１９】
前記第１端末が使用可能な搬送波と、前記複数の第２端末が使用可能な搬送波の中から、前記第１端末と前記複数の第２端末のうち最も多い端末が共通に使用することができる搬送波を選択する搬送波選択部をさらに含み、
前記選択した搬送波を前記少なくとも１つの第２端末が使用可能な場合に、前記通信部は、前記選択した搬送波に前記主搬送波を変更することを前記少なくとも１つの第２端末に要請することを特徴とする請求項１８に記載の多重搬送波管理装置。
【請求項２０】
前記通信部は、前記選択した搬送波の情報を媒体アクセス制御（Ｍｅｄｉｕｍ  Ａｃｃｅｓｓ  Ｃｏｎｔｒｏｌ、ＭＡＣ）管理メッセージに含めて、前記少なくとも１つの第２端末に伝送することを特徴とする請求項１９に記載の多重搬送波管理装置。
【発明の詳細な説明】
【技術分野】
【０００１】
本発明は、多重搬送波管理装置および方法と端末のスリープモード動作方法に関する。
【背景技術】
【０００２】
一般的に、多重搬送波（ｍｕｌｔｉ−ｃａｒｒｉｅｒｓ）のうちの１つは主搬送波として使用し、残りは副搬送波として使用する。
【０００３】
多重搬送波を支援する無線通信システムにおいて、制御メッセージは、一般的に、主搬送波を介して基地局が端末に伝送する。つまり、スリープ期間に入った端末に基地局から送信されるデータがあるか否かを知らせるトラフィック通知メッセージ（Ｔｒａｆｆｉｃ  Ｉｎｄｉｃａｔｉｏｎ  Ｍｅｓｓａｇｅ）は、主搬送波を介して基地局から端末に伝送される。
【０００４】
しかし、スリープ期間に入った複数の端末が使用する主搬送波が異なる場合、基地局は各端末が使用する主搬送波を用いてトラフィック通知メッセージを伝送しなければならないため、無線資源が非効率的に使用されることがある。また、基地局はトラフィック通知メッセージの伝送による負荷を増加させる。
【０００５】
背景技術に記載された事項はただ本発明の背景に関する理解を助けるためのものであり、この国で当業者に公知されている従来の技術に関連しない情報を含むことがある。
【発明の概要】
【発明が解決しようとする課題】
【０００６】
本発明が解決しようとする技術的課題は、基地局のメッセージ伝送による負荷を低減し、多重搬送波を効率的に管理することができる、多重搬送波管理装置および方法と端末のスリープモード動作方法を提供することである。
【課題を解決するための手段】
【０００７】
本発明の一実施形態によれば、多重搬送波を支援する通信システムの基地局が前記多重搬送波を管理する方法が提供される。多重搬送波管理方法によれば、スリープ期間に入ろうとする第１端末に主搬送波を変更することを要請するステップと、前記スリープ期間中に変更した前記主搬送波を介して制御メッセージを前記第１端末に伝送するステップとを含む。
【０００８】
本発明の他の実施形態によれば、多重搬送波を支援する通信システムの端末のスリープモード動作方法が提供される。端末のスリープモード動作方法によれば、スリープ期間に入る際に基地局から主搬送波の変更要請を受けるステップと、主搬送波を変更し、前記スリープモードに入るステップと、変更した主搬送波を介して前記基地局から制御メッセージを受信するステップとを含む。
【０００９】
本発明のさらに他の実施形態によれば、多重搬送波を支援する通信システムの基地局が前記多重搬送波を管理する装置が提供される。多重搬送波管理装置は、通信部を含む。通信部は、スリープ期間に入ろうとする第１端末に主搬送波を変更することを要請する。この時、前記スリープ期間中に変更した前記主搬送波を介して制御メッセージが伝送される。
【発明の効果】
【００１０】
本発明の実施形態によれば、多重搬送波を支援する無線通信システムで多重搬送波を効率的に管理することができる。また、電力節約モードの端末に対する多重搬送波を効率的に管理することにより、無線資源を効率的に使用することができる。
【図面の簡単な説明】
【００１１】
【図１】本発明の実施形態にかかる多重搬送波無線通信システムを概略的に示す図である。
【図２】多重搬送波を示す図である。
【図３】本発明の実施形態にかかる端末のスリープモード動作を示すフローチャートである。
【図４】本発明の実施形態にかかる搬送波管理装置の動作を示す図である。
【図５】本発明の実施形態にかかる端末グループを形成する方法を示す図である。
【図６】本発明の実施形態にかかる端末が主搬送波を変更する方法を示すフローチャートである。
【図７】本発明の実施形態にかかる搬送波管理装置の概略的な構成図である。
【発明を実施するための形態】
【００１２】
以下、添付した図面を参考にして、本発明の実施形態について、本発明の属する技術分野における通常の知識を有する者が容易に実施できるように詳細に説明する。しかし、本発明は、種々の異なる形態で実現可能であり、ここで説明する実施形態に限定されない。そして、図面において、本発明を明確に説明するために、説明と関係のない部分は省略しており、明細書全体にわたって、類似の部分については、類似の図面符号を付した。
【００１３】
明細書および請求の範囲全体において、ある部分がある構成要素を「含む」とする時、これは、特に反対となる記載がない限り、他の構成要素を除外するのではなく、他の構成要素をさらに含むことができることを意味する。
【００１４】
本明細書において、端末（ｔｅｒｍｉｎａｌ）は、移動局（Ｍｏｂｉｌｅ  Ｓｔａｔｉｏｎ、ＭＳ）、移動端末（Ｍｏｂｉｌｅ  Ｔｅｒｍｉｎａｌ、ＭＴ）、加入者局（Ｓｕｂｓｃｒｉｂｅｒ  Ｓｔａｔｉｏｎ、ＳＳ）、携帯加入者局（Ｐｏｒｔａｂｌｅ  Ｓｕｂｓｃｒｉｂｅｒ  Ｓｔａｔｉｏｎ、ＰＳＳ）、ユーザ装置（Ｕｓｅｒ  Ｅｑｕｉｐｍｅｎｔ、ＵＥ）、アクセス端末（Ａｃｃｅｓｓ  Ｔｅｒｍｉｎａｌ、ＡＴ）などを指し示すこともでき、端末、移動端末、加入者局、携帯加入者局、ユーザ装置、アクセス端末などの全部または一部の機能を含むこともできる。
【００１５】
本明細書において、基地局（Ｂａｓｅ  Ｓｔａｔｉｏｎ、ＢＳ）は、アクセスポイント（Ａｃｃｅｓｓ  Ｐｏｉｎｔ、ＡＰ）、無線アクセス局（Ｒａｄｉｏ  Ａｃｃｅｓｓ  Ｓｔａｔｉｏｎ、ＲＡＳ）、ノードＢ（Ｎｏｄｅ  Ｂ）、高度化ノードＢ（ｅｖｏｌｖｅｄ  Ｎｏｄｅ  Ｂ、ｅＮｏｄｅＢ）、送受信基地局（Ｂａｓｅ  Ｔｒａｎｓｃｅｉｖｅｒ  Ｓｔａｔｉｏｎ、ＢＴＳ）、ＭＭＲ（Ｍｏｂｉｌｅ  Ｍｕｌｔｉｈｏｐ  Ｒｅｌａｙ）−ＢＳなどを指し示すこともでき、アクセスポイント、無線アクセス局、ノードＢ、ｅＮｏｄｅＢ、送受信基地局、ＭＭＲ−ＢＳなどの全部または一部の機能を含むこともできる。
【００１６】
以下、本発明の実施形態にかかる多重搬送波無線システムにおける多重搬送波管理装置および方法について、図面を参考にして詳細に説明する。
【００１７】
図１は、本発明の実施形態にかかる多重搬送波無線通信システムを概略的に示す図であり、図２は、多重搬送波を示す図である。
【００１８】
図１を参照すると、多重搬送波無線通信システムは、端末１００と、基地局２００とを含む。
【００１９】
端末１００は、無線チャネルの終端点であり、図２のように、周波数帯域ＦＡ１、・・・、ＦＡｎを有する多重搬送波を支援する。したがって、端末１００は、周波数帯域ＦＡ１、・・・、ＦＡｎを有する多重搬送波を用いて基地局２００と通信する。
【００２０】
基地局２００は、セル領域に位置する端末１００と通信し、端末１００に割り当てられる多重搬送波を管理する多重搬送波管理装置（図示せず）を含む。
【００２１】
多重搬送波管理装置は、多重搬送波のうちの１つの搬送波を主搬送波（ｐｒｉｍａｒｙ  ｃａｒｒｉｅｒ）として設定し、残りの搬送波を補助搬送波（ｓｅｃｏｎｄａｒｙ  ｃａｒｒｉｅｒ）として設定する。主搬送波は、端末１００と基地局２００との間の各種制御情報およびデータを送受信するための搬送波であり、補助搬送波は、端末１００が主搬送波を介して制御情報を送受信している状態で、データの送受信のために用いられる付加的な搬送波である。
【００２２】
図３は、本発明の実施形態にかかる端末のスリープモード動作を示すフローチャートである。
【００２３】
図３を参照すると、端末１００は、スリープモードに入ろうとする場合、スリープ周期を設定し、スリープモード要請メッセージＳＬＰ−ＲＥＱを基地局２００に伝送する（Ｓ３００）。この時、スリープモード要請メッセージＳＬＰ−ＲＥＱには、最小スリープ期間、最大スリープ期間、およびリスニング期間のパラメータを含むことができる。
【００２４】
スリープモード要請メッセージＳＬＰ−ＲＥＱを受信した基地局２００は、端末１００のスリープ識別子を割り当て、スリープモード要請メッセージＳＬＰ−ＲＥＱに含まれている内容に基づいてスリープ周期を決定し、スリープモード応答メッセージＳＬＰ−ＲＳＰを端末１００に伝送する（Ｓ３１０）。この時、スリープモード応答メッセージＳＬＰ−ＲＳＰは、端末１００のスリープ識別子情報、スリープ開始時点Ｍ、最小スリープ期間、最大スリープ期間などを含む。
【００２５】
スリープモード応答メッセージＳＬＰ−ＲＳＰを受信した端末１００は、スリープ開始時点Ｍからデータを受信しないスリープ期間（ｓｌｅｅｐ  ｗｉｎｄｏｗ）に入る（Ｓ３２０）。
【００２６】
スリープ期間が経過すると、端末１００は、リスニング期間（ｌｉｓｔｅｎｉｎｇ  ｗｉｎｄｏｗ）に入る（Ｓ３３０）。リスニング期間に入った端末１００は、基地局２００からスリープ期間中に伝送待機しているデータがあるかを知らせるトラフィック通知メッセージ（Ｔｒａｆｆｉｃ  Ｉｎｄｉｃａｔｉｏｎ  Ｍｅｓｓａｇｅ）を受信する（Ｓ３４０）。端末１００は、トラフィック通知メッセージにより、基地局２００からスリープ周期期間中に伝送待機しているデータがあるかを確認する。このようなトラフィック通知メッセージは、端末１００に割り当てられた主搬送波を介して伝送される。
【００２７】
つまり、スリープ期間中に伝送待機しているデータがない場合、基地局２００は、トラフィック通知メッセージの当該フィールドＤを０に設定して端末１００に伝送し（Ｓ３４０）、端末１００は、再びスリープ期間に入る（Ｓ３５０）。この際のスリープ期間は、設定された方式により、最大スリープ期間より短い限度内で前のスリープ期間と等しいかまたはそれより長く設定可能である。
【００２８】
スリープ期間が経過すると、端末１００は、リスニング期間に入る（Ｓ３８０）。
一方、スリープ期間中に伝送待機しているデータがある場合、基地局２００は、このデータをバッファリングしておく（Ｓ３６０）。その後、トラフィック通知メッセージの当該フィールドＤを１に設定して端末１００に伝送し、リスニング期間に入った端末１００は、基地局２００からスリープ期間中に伝送待機しているデータがあるかを知らせるトラフィック通知メッセージを受信する（Ｓ３７０）。
【００２９】
リスニング期間でトラフィック通知メッセージを確認した結果、伝送待機しているデータがある場合、基地局２００は、リスニング期間でデータを端末１００に伝送し（Ｓ３９０）、端末１００は、リスニング期間で基地局２００から伝送されたデータを受信する。
【００３０】
その後、リスニング期間が経過すると、端末１００は、再びスリープ期間に入る（Ｓ４００）。
【００３１】
一方、端末１００が端末グループとして管理される場合、基地局２００は、当該フィールドに、端末グループに属する少なくとも１つの端末に伝送するデータの有無を示すグループビットマップ（図示せず）を設定し、各端末グループに属する各端末に伝送するデータの有無を示すトラフィックビットマップ（図示せず）を設定することができる。その後、基地局２００は、グループビットマップとトラフィックビットマップに、端末グループに属する端末に伝送するデータの有無をビットで表示することができる。例えば、基地局２００が管理する端末グループが３２個であり、各端末グループに属した端末の数も３２個であり、端末１００のスリープ識別子が最初の端末グループに含まれ、端末１００に伝送するデータが存在する場合、基地局２００は、グループビットマップ（図示せず）を端末グループの数に対応する３２ビットに設定し、基地局２００は、３２ビットのうち、最初の端末グループを示す最上位ビットを「１」に設定することにより、最初の端末グループに属する端末のうち少なくとも１つの端末に伝送するデータが存在することを知らせることができる。その後、基地局２００は、トラフィックビットマップ（図示せず）を最初の端末グループに属する端末の数に対応する３２ビットに設定し、３２ビットのうち、端末１００を示すビットを「１」に設定することにより、端末１００に伝送するデータが存在することを知らせることができる。
【００３２】
図４は、本発明の実施形態にかかる多重搬送波管理装置の動作を示す図であり、図５は、本発明の実施形態にかかる端末グループを形成する方法を示す図である。
【００３３】
図４を参照すると、多重搬送波管理装置は、多重搬送波を支援する端末１００がスリープモードに入ろうとする場合、スリープモードに入ろうとする端末１００が使用可能な候補搬送波と、スリープモードに入った端末が使用可能な候補搬送波の中から、最も多い端末が共通に使用することができる搬送波を選択する（Ｓ４１０）。
【００３４】
多重搬送波管理装置は、選択した搬送波ごとに、スリープモードに入ろうとする端末１００とスリープモードに入った端末とをグループ化して端末グループを形成し（Ｓ４２０）、各端末グループに属する端末の主搬送波を選択した搬送波に設定する（Ｓ４３０）。
【００３５】
その後、多重搬送波管理装置は、選択した搬送波の情報を伝送して、各端末グループに属する端末に現在の主搬送波の変更を要請する（Ｓ４４０）。
【００３６】
一方、多重搬送波管理装置は、端末グループに属する端末のうち、選択した搬送波が主搬送波として設定されている場合は、当該端末には選択した搬送波の情報を伝送しなくてもよい。
【００３７】
例えば、基地局２００が管轄するセル領域に６個の端末ａ、ｂ、ｃ、ｄ、ｅ、ｆが含まれており、各端末ａ、ｂ、ｃ、ｄ、ｅ、ｆが使用可能な搬送波と主搬送波が図５のように設定されており、端末ｂ、ｃ、ｄ、ｅ、ｆがスリープ期間に入った状態であり、端末ａがスリープ期間に入ろうとする場合を想定する。
【００３８】
多重搬送波管理装置は、スリープ期間に入ろうとする端末ａが主搬送波として使用可能な候補搬送波ＦＡ１、ＦＡ２、ＦＡ３と、スリープ期間に入った状態の端末ｂ／ｃ／ｄ／ｅ／ｆが主搬送波として使用可能な候補搬送波ＦＡ１、ＦＡ３、ＦＡ４／ＦＡ２、ＦＡ３、ＦＡ４／ＦＡ１、ＦＡ３、ＦＡ５／ＦＡ３、ＦＡ４、ＦＡ５／ＦＡ２、ＦＡ４に基づき、多重搬送波ＦＡ１〜ＦＡ５の中から、最も多い端末が共通に使用することができる搬送波を選択する。この時、搬送波ＦＡ３を最も多い端末ａ、ｂ、ｃ、ｄ、ｅが共通に使用しているため、搬送波ＦＡ３を使用することができる端末ａ、ｂ、ｃ、ｄ、ｅを１つの端末グループＧ１として形成し、残りの端末ｆを他の端末グループＧ２として形成する。
【００３９】
多重搬送波管理装置は、端末グループＧ１では、選択した搬送波ＦＡ３を端末グループＧ１に属する端末ａ、ｂ、ｃ、ｄ、ｅの主搬送波として設定し、端末グループＧ２では、端末ｆの主搬送波ＦＡ２をそのまま維持する。その後、多重搬送波管理装置は、スリープ期間に入ろうとする端末ａには、スリープモード応答メッセージＳＬＰ−ＲＳＰを介して選択した搬送波ＦＡ３の情報を伝送することにより、主搬送波の変更を要請し、スリープ期間に入った状態の端末ｂ、ｃ、ｄ、ｅには、リスニング期間中に媒体アクセス制御（Ｍｅｄｉｕｍ  Ａｃｃｅｓｓ  Ｃｏｎｔｒｏｌ、ＭＡＣ）管理メッセージを介して選択した搬送波ＦＡ３の情報を伝送することにより、主搬送波の変更を要請する。この時、スリープモード応答メッセージＳＬＰ−ＲＳＰおよびＭＡＣ管理メッセージにフィールドを追加し、追加したフィールドに選択した搬送波ＦＡ３の情報を含めて、主搬送波の変更を要請することができ、これとは異なる方法も利用可能である。
【００４０】
すると、端末グループＧ１に属する各端末ａ、ｂ、ｃ、ｄ、ｅのうち、スリープ期間に入ろうとする端末ａは、搬送波ＦＡ３に主搬送波を変更した後にスリープ期間に入り、端末グループＧ１に属する各端末ａ、ｂ、ｃ、ｄ、ｅのうち、スリープ期間に入った状態の端末ｂ、ｃ、ｄ、ｅは、リスニング期間で搬送波ＦＡ３に主搬送波を変更する。この時、端末ｂ、ｄの場合、搬送波ＦＡ３が主搬送波として設定されているため、多重搬送波管理装置は、端末ａ、ｃ、ｅにのみ主搬送波の変更を要請することができる。
【００４１】
このようにすると、基地局２００は、端末グループＧ１に属する各端末ａ、ｂ、ｃ、ｄ、ｅに、１つの搬送波ＦＡ３のみを用いてトラフィック通知メッセージを送信することができ、これにより、残りの搬送波は別の目的での使用が可能となるため、多重搬送波の効率的な管理が可能になる。
【００４２】
また、基地局２００は、１つの搬送波ＦＡ３を用いてトラフィック通知メッセージを１回だけ伝送しても、端末グループＧ１に属する各端末ａ、ｂ、ｃ、ｄ、ｅがトラフィック通知メッセージを確認することができるため、基地局２００のトラフィック通知メッセージの伝送による負荷が低減する。
【００４３】
図６は、本発明の実施形態にかかる端末が主搬送波を変更する方法を示すフローチャートである。
【００４４】
図６を参照すると、スリープモードに入ろうとする端末１００は、基地局２００から選択した搬送波の情報を受信することにより、主搬送波の変更要請を受信する（Ｓ６１０）。例えば、スリープ期間に入ろうとする端末ａの場合、スリープモード応答メッセージＳＬＰ−ＲＳＰに選択した搬送波の情報が含まれていてもよく、端末ａは、基地局からスリープモード応答メッセージの受信から主搬送波の変更要請を受けることもできる。一方、スリープ期間に入った状態の端末ｂ、ｃ、ｄ、ｅの場合、リスニング期間中にＭＡＣ管理メッセージに選択した搬送波の情報が含まれていてもよく、端末ｂ、ｃ、ｄ、ｅは、ＭＡＣ管理メッセージの受信から主搬送波の変更要請を受けることもできる。
【００４５】
端末１００は、自身に設定された現在の主搬送波情報が、基地局２００から受信した搬送波の情報と同一であるかを判断する（Ｓ６２０）。
【００４６】
自身に設定された現在の主搬送波情報が、基地局２００から受信した搬送波の情報と同一でない場合、端末１００は、基地局２００から受信した搬送波の情報に該当する搬送波に主搬送波を変更し（Ｓ６３０）、スリープモードに入る（Ｓ６５０）。反面、自身に設定された現在の主搬送波情報が、基地局２００から受信した搬送波の情報と同一である場合、端末１００は、設定された主搬送波をそのまま維持し（Ｓ６４０）、スリープモードに入る（Ｓ６５０）。
【００４７】
このような動作は、スリープモードに入ろうとする端末１００のみならず、スリープモードに入った状態の端末にも同様に適用されることにより、主搬送波を変更することができ、現在の主搬送波をそのまま維持することもできる。
【００４８】
図７は、本発明の実施形態にかかる多重搬送波管理装置の概略的な構成図である。
図７を参照すると、多重搬送波管理装置２１０は、搬送波選択部２１２と、通信部２１４とを含む。
【００４９】
搬送波選択部２１２は、基地局２００が管轄するセル領域に属する端末のうち、スリープ期間に入ろうとする端末が使用可能な候補副搬送波と、スリープ期間に入った状態の端末が使用可能な副搬送波の中から、スリープ期間に入ろうとする端末とスリープ期間に入った状態の端末のうち最も多い端末が共通に使用することができる搬送波を選択する。
【００５０】
その後、搬送波選択部２１２は、選択した搬送波ごとに、スリープ期間に入ろうとする端末とスリープ期間に入った状態の端末とを端末グループとしてグループ化し、選択した搬送波を各端末グループの端末が使用する主搬送波として設定する。
【００５１】
通信部２１４は、各端末グループで選択した搬送波の情報を各端末に伝送して、主搬送波の変更を要請する。この時、通信部２１４は、スリープモード応答メッセージＳＬＰ−ＲＳＰに選択した搬送波の情報を含めて、スリープ期間に入ろうとする端末に主搬送波の変更を要請することができ、ＭＡＣ管理メッセージに選択した搬送波の情報を含めて、スリープ期間に入った状態の端末に主搬送波の変更を要請することができる。
【００５２】
その後、基地局２００は、主搬送波を用いてトラフィック通知メッセージを端末１００に伝送する。
【００５３】
本発明の実施形態は、以上で説明した装置および／または方法によってのみ実現されるのではなく、本発明の実施形態の構成に対応する機能を実現するプログラムまたはそのプログラムが記録された記録媒体を介しても実現可能であり、このような実現は、上述した実施形態の記載から、本発明の属する技術分野における専門家であれば容易に実現することができる。
【００５４】
以上、本発明の実施形態について詳細に説明したが、本発明の権利範囲は、これに限定されるものではなく、以下の請求の範囲で定義している本発明の基本概念を利用した当業者の様々な変形および改良形態も本発明の権利範囲に属する。
【符号の説明】
【００５５】
１００  端末
２００  基地局
２１０  多重搬送波管理装置
２１２  搬送波選択部
２１４  通信部
【図１】
0005425210.tif 000002
【図２】
0005425210.tif 000003
【図３】
0005425210.tif 000004
【図４】
0005425210.tif 000005
【図５】
0005425210.tif 000006
【図６】
0005425210.tif 000007
【図７】
0005425210.tif 000008